(57)【要約】【課題】プリントヘッドにおける光路のずれを低減する。【解決手段】画像形成装置はプリントヘッドと循環流路と制御手段とを備える。プリントヘッドは、光ビームを偏向する可動ミラーと、偏向された光ビームの光路内に配置された一方向に長い主走査用のレンズと、レンズの長手方向の両端部を支持する支持体と、レンズの長手方向の両端近傍の温度を検知する温度検知手段と、レンズの長手方向の一端の近傍および他端の近傍をそれぞれ通る第１および第２の液体流路とを備える。循環流路は、第１および第２の液体流路を含みかつ当該第１および第２の液体流路に対する個別の流量調整が可能に構成される。制御手段は、温度検知手段によって検知された温度に応じて第１および第２の液体流路を流れる液体の流量を制御する。【選択図】図２
2011133674.tif 000002
【特許請求の範囲】
【請求項１】
潜像形成のための光ビームを射出するプリントヘッドを備えた画像形成装置であって、
前記プリントヘッドは、光ビームを偏向する可動ミラーと、前記可動ミラーによって偏向された光ビームの光路内に配置された一方向に長い主走査用のレンズと、前記レンズの長手方向の両端部を支持する支持体と、前記レンズの長手方向の両端近傍の温度を検知する温度検知手段と、前記レンズの長手方向の一端の近傍および他端の近傍をそれぞれ通る第１および第２の液体流路と、を備えており、
前記第１および第２の液体流路を含みかつ当該第１および第２の液体流路に対する個別の流量調整が可能な循環流路と、
前記温度検知手段によって検知された温度に応じて前記第１および第２の液体流路を流れる液体の流量を制御する制御手段と、を備える
ことを特徴とする画像形成装置。
【請求項２】
前記プリントヘッドは、さらに、前記支持体に支持されて前記レンズを透過した光ビームを反射する一方向に長い固定ミラーと、前記固定ミラーの長手方向の一端の近傍および他端の近傍をそれぞれ通る第３および第４の液体流路と、を備えており、
前記循環流路は、前記第３および第４の液体流路を含み、かつ当該第３および第４の液体流路に対する個別の流量調整が可能であり、
前記温度検知手段は、前記固定ミラーの長手方向の両端近傍の温度を検知し、
前記制御手段は、前記温度検知手段によって検知された温度に応じて前記第３および第４の液体流路を流れる液体の流量を制御する
請求項１記載の画像形成装置。
【請求項３】
前記プリントヘッドの内部を通る加熱用循環流路を備え、
前記制御手段は、前記温度検知手段によって検知された温度に応じて前記加熱用循環流路を流れる液体の流量を制御する
請求項１または２記載の画像形成装置。
【請求項４】
潜像形成のための光ビームを射出する同一構成の複数のプリントヘッドを備えた画像形成装置であって、
各プリントヘッドは、光ビームを偏向する可動ミラーと、前記可動ミラーによって偏向された光ビームの光路内に配置された一方向に長い主走査用のレンズと、前記レンズの長手方向の両端部を支持する支持体と、前記レンズの長手方向の両端近傍の温度を検知する温度検知手段と、前記レンズの長手方向の一端の近傍および他端の近傍をそれぞれ通る第１および第２の液体流路と、を備えており、
前記複数のプリントヘッドの前記第１および第２の液体流路を含みかつ当該第１および第２の液体流路に対する個別の流量調整が可能な循環流路と、
各プリントヘッドにおける前記温度検知手段によって検知された温度に応じて各プリントヘッドにおける前記第１および第２の液体流路を流れる液体の流量を制御する制御手段と、を備える
ことを特徴とする画像形成装置。
【請求項５】
前記循環流路は、前記複数のプリントヘッドに対して任意の順番で液体を流すことが可能な直列型の流路であり、
前記制御手段は、前記循環流路における前記複数のプリントヘッドに対する液体を流す順序を制御する
請求項４記載の画像形成装置。
【請求項６】
前記循環流路は、前記複数のプリントヘッドに対して選択的に液体を流すことが可能な並列型の流路であり、
前記制御手段は、前記複数のプリントヘッドの一部または全部の液体を流すように前記循環流路を制御し、液体を流すプリントヘッドについて前記第１および第２の液体流路を流れる液体の流量を制御する
請求項４記載の画像形成装置。
【発明の詳細な説明】
【技術分野】
【０００１】
本発明は、光ビームを射出するプリントヘッドを有した電子写真式の画像形成装置に関する。画像形成装置には、プリンタ、複写機、ファクシミリ装置および複合機（ＭＦＰ：Multifunction Peripheralsともいう）が含まれる。
【背景技術】
【０００２】
電子写真式の画像形成装置は、プリントヘッドと呼ばれる光学システムを有する。プリントヘッドは、一様に帯電した感光体（潜像担持体）に光を照射して潜像を形成する露光手段である。典型的なプリントヘッドは、光源として半導体レーザを備え、ポリゴンミラーによってレーザ光ビームを偏向する。等角度偏向されたレーザ光ビームは主走査用のレンズを通過することによって感光体表面を等速に走査するビームとなる。レンズを通過したレーザ光ビームは固定ミラーに導かれて感光体へ向かう。
【０００３】
近年、プリントヘッドは画像形成装置の製造および保守を効率化するためにユニット化されており、光源、ポリゴンミラー、レンズ、およびビームを導く固定ミラーが一つのハウジングに収められている。複数色のトナー像を並行して形成するタンデム式のカラー画像形成装置において、同一構成の複数個のプリントヘッドユニットを搭載する装置構成が採用されている。
【０００４】
画像形成装置の内部の温度上昇を抑える強制冷却に関して、空冷システムに代えて液冷システムを搭載することが提案されている。特許文献１には、モータやヒータのような発熱源に近い複数の冷却対象箇所に対して選択的に冷却液を流すことが可能な並列型の流路構成が開示されている。また、特許文献２には、複数の温度上昇部に対して目標上昇温度の低いものから高いものへ予め定めた固定の順序で冷媒を流す直列型の流路構成が開示されている。
【先行技術文献】
【特許文献】
【０００５】
【特許文献１】特開２００７−２０６１９８号公報
【特許文献２】特開２００７−３２４４９８号公報
【発明の概要】
【発明が解決しようとする課題】
【０００６】
電子写真法による画像形成における画質の低下の一因に、プリントヘッドにおける光路のずれがある。ユニット化されたプリントヘッドでは、レンズおよび固定ミラーがハウジングに両持ち支持された状態で接着されるのが一般的である。接着に際しては、位置ずれを防止するために、バネや他の弾性部材を用いてレンズや固定ミラーがハウジングの支持部に対して付勢される。しかし、この付勢によって固定ミラーは残留応力が発生した状態でハウジングに組み付けられているので、プリントヘッドの内部の温度が変化すると、残留応力が変化して固定ミラーが微妙に変形する。このため、光路にずれが生じて画像に歪みが現れる。また、複数のプリントヘッドを有するカラー画像形成装置においては、プリントヘッド間で光路のずれにばらつきがあると、形成されるカラー画像に色ずれが現れる。
【０００７】
本発明は、このような事情に鑑みてなされ、プリントヘッドにおける光路のずれを低減することを目的としている。
【課題を解決するための手段】
【０００８】
上記目的を達成する画像形成装置は、潜像形成のための光ビームを射出するプリントヘッド、循環流路、および制御手段を備える。前記プリントヘッドは、光ビームを偏向する可動ミラーと、前記可動ミラーによって偏向された光ビームの光路内に配置された一方向に長い主走査用のレンズと、前記レンズの長手方向の両端部を支持する支持体と、前記レンズの長手方向の両端近傍の温度を検知する温度検知手段と、前記レンズの長手方向の一端の近傍および他端の近傍をそれぞれ通る第１および第２の液体流路と、を備える。循環流路は、前記第１および第２の液体流路を含みかつ当該第１および第２の液体流路に対する個別の流量調整が可能なものである。制御手段は、前記温度検知手段によって検知された温度に応じて前記第１および第２の液体流路を流れる液体の流量を制御する。
【発明の効果】
【０００９】
本発明によれば、レンズにおける支持体に支持される両端部の温度を制御し、それによって光路のずれの原因となるレンズの変形や取り付け位置ずれを低減することができる。
【図面の簡単な説明】
【００１０】
【図１】画像形成装置の構成の一例を示す図である。
【図２】プリントヘッドユニットの構成を示す図である。
【図３】一つのプリントヘッドユニットに係る液体流路の構成を示す図である。
【図４】直列型の配管の一例および複数のプリントヘッドユニットに係る流れの順番の切り替えの例を示す図である。
【図５】液冷制御システムの構成を示す図である。
【図６】並列型の配管の第１例を示す図である。
【図７】並列型の配管の第２例を示す図である。
【発明を実施するための形態】
【００１１】
図１に例示される画像形成装置１は、電子写真法によってカラー画像またはモノクロ画像を形成するタンデム式のカラープリンタ部を備えた複合機である。イエロー（Ｙ）、マゼンダ（Ｍ）、シアン（Ｃ）および黒（Ｋ）の４色のトナー像を並行して形成するため、画像形成装置１は４個のイメージングユニット１１，１２，１３，１４、４個の現像ユニット１５，１６，１７，１８および４個のプリントヘッドユニット２１，２２，２３，２４を有する。画像形成装置１には、プリントヘッドユニット２１，２２，２３，２４の内部を通る循環流路６１とポンプユニット６００とを含む液冷システム６が組み付けられている。
【００１２】
例えば複写モードにおいて、スキャナ１０が原稿から読み取った画像に応じて、プリントヘッドユニット２１〜２４の射出する光ビームがオンオフ制御され、イメージングユニット１１〜１４の感光体上に潜像が形成される。潜像は現像ユニット１５〜１８によって現像されてトナー像になり、トナー像が中間転写ベルト３５に一次転写される。トナー像の形成と並行して用紙トレイ４０から記録用紙が取り出されて二次転写位置へ送られる。中間転写ベルト３５からトナー像が二次転写された記録用紙は定着ユニット３６を経て排紙トレイ４１，４２，４３に送り出される。定着ユニット３６を通過する際にトナーが溶融して画像が記録用紙に定着する。
【００１３】
このようにして形成される画像の品質を良好とするため、プリントヘッドユニット２１，２２，２３，２４の間で温度が均一になるように、またプリントヘッドユニット２１，２２，２３，２４の内部の温度が適正となるように、液冷システム６によるプリントヘッドユニット２１〜２４の温度制御が行われる。
【００１４】
以下、液冷システム６の構成を詳述する。本実施形態において温度制御の対象である４個のプリントヘッドユニット２１〜２４の構成は同一であるので、代表としてプリントヘッドユニット２１に注目して構成を説明する。
【００１５】
図２のように、プリントヘッドユニット２１は、光学機能を実現する構成部品として、光源ユニット５１、モータ５２Ａに取り付けられたポリゴンミラー５２、主走査用の２個のレンズ５３，５４、および２個の固定ミラー５５，５６を有する。光源ユニット５１は、半導体レーザとビーム整形用のレンズを含む。これらの構成部品は、樹脂成型によって製作されたハウジング２１０の内部に収められ、部品の形状に合うように形成された所定の取り付け部に位置決めされて接着材によって固定される。
【００１６】
主走査用のレンズ５３，５４は一方向に長い湾曲した形状の部品であり、固定ミラー５５，５６も一方向に長い部品である。主走査用のレンズ５３，５４および固定ミラー５５，５６は、互いが実質的に平行に並ぶように配置される。
【００１７】
主走査用のレンズ５３，５４および固定ミラー５５５、５６の固定の形態は、支持体であるハウジング２１０に長手方向の両端部が固定される両持ち支持である。両持ち支持は、支持の安定性および取り付け精度の確保の容易性に優れる。また、ハウジング２１０からの熱伝導の低減およびハウジング２１０の熱膨張の影響の低減にも寄与する。
【００１８】
例示のプリントヘッドユニット２１において、光源ユニット５１から射出した光ビームは、回転する可動ミラーであるポリゴンミラー５２によって等角度偏向される。偏向された光ビームは、主走査用のレンズ５３を透過し、固定ミラー５４とレンズ５４と固定ミラー５６とを順に経た後、図示しないウインドウガラスを透過してイメージングユニット１１（図１参照）に向かう。２個の固定ミラー５５，５６のそれぞれでの反射によって光路は折れ曲がる。固定ミラー５５，５６は、イメージングユニット１１とプリントヘッドユニット２１との相対位置関係に適合するように光ビームを導く光路設定手段である。
【００１９】
このようにプリントヘッドユニット２１における光ビームの射出には複数の光学機能部品が関与するので、光学機能部品の相互の位置関係が変化すると光路のずれが生じる。そこで、プリントヘッドユニット２１には、光学機能を良好に保つための液冷に関係する構成部品が組み付けられている。液冷に関係する構成部品は、計９個の温度センサ７１，７２，７３，７４，７５，７６，７７，７８，７９および冷却液が流れる流路６２０を形成する配管部材である。温度センサ７１〜７９として、アナログ型またはデジタル型の集積回路センサを用いることができる。配管部材は、内径１〜数ｍｍ程度の可撓性の樹脂製チューブおよび分岐用の継手を含む。
【００２０】
温度センサ７１〜７９は温度制御の必要性の大きい箇所に配置される。温度センサ７１の位置は、プリントヘッドユニット２１における最大の発熱源であるモータ５２Ａの近傍である。温度センサ７２，７３は、主走査用のレンズ５３の取付け支持部である長手方向の両端の近傍に配置されている。温度センサ７４，７５は、主走査用のレンズ５４の取付け支持部である長手方向の両端の近傍に配置されている。温度センサ７６，７７は、固定ミラー５５の取付け支持部である長手方向の両端の近傍に配置されている。温度センサ７８，７９は、固定ミラー５６の取付け支持部である長手方向の両端の近傍に配置されている。
【００２１】
流路６２０は、流入路６１１から分岐して流出路６２８に合流する複数の分岐路の集合である。本例の流路６２０は、温度センサ７１の配置された箇所と、温度センサ７２の配置された箇所と、温度センサ７４，７６，７８のそれぞれが配置された箇所と、温度センサ７５，７７，７９のそれぞれが配置された箇所とを個別に温度制御することができるように構成されている。流路６２０を形成する配管部材は、外部への引き出し部分を除いて、ハウジング２１０の内側の空間に配置されている。流路６２０と光学機能部品との関係は図３に示される。
【００２２】
図３のように、流路６２０はローカル部６１０に含まれる。ローカル部６１０とは、４個のプリントヘッドユニット２１〜２４に係る循環流路６１の一部であって、いずれか１個のプリントヘッドユニット（図示はプリントヘッドユニット２１）に関係する部分である。流路６２０は、複数の分岐路６２１，６２２，６２３，６２４，６２５を有する。分岐路６２１，６２２は、主走査用のレンズ５３の長手方向の一端の近傍および他端の近傍をそれぞれ通る第１および第２の液体流路である。分岐路６２３，６２４は、主走査用のレンズ５４および固定ミラー５５，５６の長手方向の一端の近傍および他端の近傍をそれぞれ通る第３および第４の液体流路である。分岐路６２５は、モータ５２Ａの近傍を通る第５の液体流路であり、熱交換を効率化するためにモータ５２Ａと対向する部分が長くなるように蛇行している。
【００２３】
流路６２０の分岐路６２１〜６２５のそれぞれにおける冷却液の流量は、流量調整弁ユニット１１０によって調整される。流量調整弁ユニット１１０は、プリントヘッドユニット２１の外部または内部に配置され、流入路６１１に流れ込んだ冷却液を分岐路６２１〜６２７に配分する。例えば、分岐路６２１，６２２の一方と他方とで流量を異ならせたり、分岐路６２５のみに冷却液を流したりすることができる。流量調整弁ユニット１１０の動作は、後述の液冷制御部によって温度センサ７１〜７９の出力に基づいて制御される。
【００２４】
本実施形態の循環流路６１は、４個のプリントヘッドユニット２１〜２４に対して任意の順番で液体を流すことが可能な直列型の流路である。冷却液を流す順序の変更を可能にするため、プリントヘッドユニット２１〜２４のそれぞれに対応するローカル部６１０は、図３のとおり流入制御弁１０１と流出制御弁１０２と３個の方向制御弁１０３，１０４，１０５を有する。
【００２５】
流入制御弁１０１は、ポンプ６０１の吐出ポートに通じる往路側の共通路６１Ａと流量調整弁ユニット１１０に通じる上述の流入路６１１との間の流路を開閉する。流入制御弁１０１が閉状態のとき、共通路６１Ａから流入路６１１への流入は制止される。
【００２６】
流出制御弁１０２は、放熱部６０３を介してポンプ６０１に至る復路側の共通路６１Ｂと上述の流出路６２８との間の流路を開閉する。流出制御弁１０２が閉状態のとき、流出路６２８から共通路６１Ｂへの流出は制止される。
【００２７】
方向制御弁１０３，１０４，１０５は、当該プリントヘッドユニット２１と他の３個のプリントヘッドユニット２２，２３，２４との相互の流通を制御するための要素である。方向制御弁１０３，１０４，１０５のそれぞれは、１個の共通ポートａと２個の個別ポートｂ，ｃを有し、共通ポートａと一方の個別ポートｂとの間の流路および共通ポートａと個別ポートｂ，ｃのそれぞれとを結ぶ２つの流路の開閉が可能に構成されている。
【００２８】
方向制御弁１０３，１０４，１０５の共通ポートａは、後述のように他の３個のプリントヘッドユニット２２，２３，２４のいずれかにおける３個の方向制御弁１０３，１０４，１０５のいずれか１個の共通ポートａと接続される。
【００２９】
方向制御弁１０３，１０４，１０５の個別ポートｂは流入路６１１に共通に接続され、個別ポートｃは流出路６２８に共通に接続される。方向制御弁１０３，１０４，１０５のそれぞれは三つの状態のいずれかとされる。三つの状態のうちの一つは、２つの流路の両方を閉じる閉状態である。他の一つは、共通ポートａと個別ポートｃとを結ぶ流路を閉じる流入状態である。残りの一つは、共通ポートａと個別ポートｂとを結ぶ流路を閉じる流出状態である。
【００３０】
図４（Ａ）は４個のプリントヘッドユニット２１〜２４における方向制御弁１０３，１０４，１０５の接続（厳密には方向制御弁１０３〜１０５の共通ポートａどうしの接続）の一例を示している。図４では方向制御弁１０３〜１０５、流入制御弁１０１および流出制御弁１０２が作図の便宜のために丸印で表わされている。
【００３１】
図４（Ａ）の例において、プリントヘッドユニット２１の方向制御弁１０３は流路６１ａを介してプリントヘッドユニット２４の方向制御弁１０５と接続され、プリントヘッドユニット２１の方向制御弁１０４は流路６１ｂを介してプリントヘッドユニット２３の方向制御弁１０４と接続され、プリントヘッドユニット２１の方向制御弁１０５は流路６１ｃを介してプリントヘッドユニット２２の方向制御弁１０３と接続されている。プリントヘッドユニット２２の方向制御弁１０４は流路６１ｄを介してプリントヘッドユニット２４の方向制御弁１０４と接続され、プリントヘッドユニット２２の方向制御弁１０５は流路６１ｅを介してプリントヘッドユニット２３の方向制御弁１０３と接続されている。そして、プリントヘッドユニット２３の方向制御弁１０５は流路６１ｆを介してプリントヘッドユニット２４の方向制御弁１０３と接続されている。
【００３２】
４個のプリントヘッドユニット２１〜２４に対する直列の通流の順序は、弁の制御によって２４通りに切り替えることができる。図４（Ｂ）および（Ｃ）は２４通りのうちの二つを例示している。図中の括弧内の数字は順位を表わし、バツ印（×）は該当する弁が閉状態であることを表わす。矢印は流れの方向を表わす。
【００３３】
順序の切り替えに際しては、流入制御弁１０１については、最初に冷却液を流す順位１のプリントヘッドユニットの流入制御弁１０１のみを開状態とする。流出制御弁１０２については、最後に冷却液を流す順位４のプリントヘッドユニットの流入制御弁１０１のみを開状態とする。そして、方向制御弁１０３〜１０５については、通流の順序に応じて各プリントヘッドユニット２１〜２４の方向制御弁１０３〜１０５のうち、一つまたは二つを閉状態とし、残りを流入状態または流出状態とする。
【００３４】
図４（Ｂ）はプリントヘッドユニット２１から配列順に冷却液を流す例を示している。順位１のプリントヘッドユニット２１では、共通路６１Ａに通じる流入制御弁１０１が開状態とされ、次の順位２のプリントヘッドユニット２２に通じる方向制御弁１０５が流出状態とされる。順位２のプリントヘッドユニット２２では、一つ前の順位１のプリントヘッドユニット２１に通じる方向制御弁１０３が流入状態とされ、次の順位３のプリントヘッドユニット２３に通じる方向制御弁１０５が流出状態とされる。同様に、順位３のプリントヘッドユニット２３では、一つ前の順位２のプリントヘッドユニット２２に通じる方向制御弁１０３が流入状態とされ、次の順位４のプリントヘッドユニット２４に通じる方向制御弁１０５が流出状態とされる。そして、順位４のプリントヘッドユニット２４では、一つ前の順位３のプリントヘッドユニット２３に通じる方向制御弁１０３が流入状態とされ、共通路６１Ｂに通じる流出制御弁１０２が開状態とされる。
【００３５】
図４（Ｃ）はプリントヘッドユニット２１〜２４に対して配列順とは異なる順序で冷却液を流す例を示している。この例においても図４（Ｂ）の例と同様に各順位のプリントヘッドユニット２１〜２４について弁が制御される。すなわち、順位１のプリントヘッドユニット２２では、流入制御弁１０１が開状態とされ、次の順位２のプリントヘッドユニット２１に通じる方向制御弁１０３が流出状態とされる。順位２のプリントヘッドユニット２１では、一つ前の順位１のプリントヘッドユニット２１に通じる方向制御弁１０５が流入状態とされ、次の順位３のプリントヘッドユニット２４に通じる方向制御弁１０３が流出状態とされる。順位３のプリントヘッドユニット２４では、一つ前の順位２のプリントヘッドユニット２１に通じる方向制御弁１０５が流入状態とされ、次の順位４のプリントヘッドユニット２３に通じる方向制御弁１０３が流出状態とされる。そして、順位４のプリントヘッドユニット２３では、一つ前の順位３のプリントヘッドユニット２４に通じる方向制御弁１０５が流入状態とされ、流出制御弁１０２が開状態とされる。
【００３６】
以上の構成の循環流路６１における冷却液の流れは、図５に示される液冷制御システム６Ａによって制御される。
【００３７】
図５のように、液冷制御システム６Ａは、制御プログラムを実行するマイクロコンピュータを中心に構成される液冷制御部６５１を有する。液冷制御部６５１は、４個のプリントヘッドユニット２１〜２４のそれぞれに対応する要素群Ｕ２１，Ｕ２２，Ｕ２３，Ｕ２４およびポンプ６０１を駆動するポンプ駆動部６５２と接続されている。液冷制御部６５１には、各プリントヘッドユニット２１〜２４の温度検知手段７０を構成する温度センサ７１〜７９から検知信号が入力される。液冷制御部６５１は、検知信号の値に応じて、各プリントヘッドユニット２１〜２４の光学機能部品の温度が所定の適正範囲内の温度となるように、流量調整弁ユニット１１０を駆動する弁駆動部１２０に指示を与える。また、液冷制御部６５１は、４個のプリントヘッドユニット２１〜２４の温度検知手段７０からの検知信号に基づいて、４個のプリントヘッドユニット２１〜２４に対する通流の順序を決定し、決定した順序で冷却液が流れるように各プリントヘッドユニット２１〜２４に対応する弁駆動部１２０を制御する。各弁駆動部１２０は、液冷制御部６５１の指示に従って、流入制御弁１０１、流出制御弁１０２および方向制御弁１０３〜１０５の状態を切り替える。
【００３８】
４個のプリントヘッドユニット２１〜２４に対する通流の順序としては、１番目を最も高温のユニットにして２番目を最も低温のユニットし、３番目を２番目に温度の高いユニットにする順序がある。この順序によれば、高温のユニットの熱を低温のユニットに与えることができる。すなわち、プリントヘッドユニット２１〜２４の間での吸熱と放熱とを利用して、４個のプリントヘッドユニット２１〜２４の温度の均等化を効率的に行うことができる。他の順序として温度の高い順がある。全てのユニットの温度が所定値より高いときには、温度の高い順に冷却液を流すころにより効率的に冷却することができる。
【００３９】
各プリントヘッドユニット２１〜２４の温度の判定については、モータ５２Ａやレンズ５３といった特定の部品の温度を優先させてもよいし、レンズやミラーの両端の温度差に重点をおいて判定してもよい。
【００４０】
以上の実施形態の液冷システム６は直列型の循環流路６１を有するものであるが、図６および図７のように並列型の液冷システム７，８を画像形成装置１に搭載することができる。
【００４１】
図６の液冷システム７は並列型の冷却用循環流路６２を有する。冷却用循環流路６２において、ポンプ６０１によって送り出された冷却液は４個のプリントヘッドユニット２１〜２４へ分岐し、流入制御弁１０１および流出制御弁１０２が開いたプリントヘッドユニット２１〜２４を通過し、放熱部６０３を経てポンプ６０１に戻る。冷却用循環流路６２における各プリントヘッドユニット２１〜２４に対応する部分は、図３の例の流路６２０と同様である。
【００４２】
流入制御弁１０１および流出制御弁１０２は、各プリントヘッドユニット２１〜２４の温度検知手段７０によって検知された温度に基づいて開閉制御される。液冷システム７においては、温度調整が必要な状態の一つまたは複数のプリントヘッドユニット２１〜２４のみに冷却液を流すことができ、無駄のない効率的な温度調整を行うことができる。
【００４３】
図７の液冷システム８は並列型の冷却用循環流路６２および加熱用循環流路６３を有する。加熱用循環流路６３において、ポンプ６０２によって送り出された液体はヒータ６０４で加熱され、流入制御弁３０１および流出制御弁３０２が開いたプリントヘッドユニット２１〜２４を通過してポンプ６０２に戻る。加熱用循環流路６３における各プリントヘッドユニット２１〜２４に対応する部分は、図３の例の流路６２０と同様であり、流路６２０の配管に沿うように配置された配管部材によって構成される。
【００４４】
流入制御弁３０１および流出制御弁３０２、各プリントヘッドユニット２１〜２４の温度検知手段７０によって検知された温度に基づいて開閉制御される。液冷システム８においては、温度調整が必要な状態の一つまたは複数のプリントヘッドユニット２１〜２４のみに冷却液または加熱液を流すことができ、無駄のない効率的な温度調整を行うことができる。温度の高いユニットに冷却液を流しそれと同時に温度の低いユニットに加熱液を流すことができるので、応答性の良い温度制御を行うことができる。
【００４５】
以上の実施形態において、プリントヘッドユニット２１〜２４の構成および個数は例示に限らない。例えば、イメージングユニット１１〜１４に対するポリゴンミラー５２の配置関係によっては、下流側の固定ミラー５６を省略することができ、さらに上流側の固定ミラー５５を省略することもできる。必ずしも４個のプリントヘッドユニット２１〜２４の構成および大きさが同一である必要はない。プリントヘッドユニット２１〜２４間に熱容量の差がある場合、その差を考慮して冷却液または加熱液の流量を調整すればよい。
【符号の説明】
【００４６】
１    画像形成装置
２１，２２，２３，２４    プリントヘッドユニット（プリントヘッド）
５２    ポリゴンミラー（可動ミラー）
５３，５４    主走査用のレンズ
２１０    ハウジング（支持体）
７０    温度検知手段
７１〜７９    温度センサ
６２１    分岐路（第１の液体流路）
６２２    分岐路（第２の液体流路）
６１    循環流路
６２    冷却用循環流路
６５１    液冷制御部（制御手段）
５５，５６    固定ミラー
６２３    分岐路（第３の液体流路）
６２４    分岐路（第４の液体流路）
６３    加熱用循環流路
【図１】
2011133674.tif 000003
【図２】
2011133674.tif 000004
【図３】
2011133674.tif 000005
【図４】
2011133674.tif 000006
【図５】
2011133674.tif 000007
【図６】
2011133674.tif 000008
【図７】
2011133674.tif 000009